(57)【特許請求の範囲】
【請求項１】
両側に押さえ片（１１）を有する胴体（１０）と、
前記胴体（１０）に取り外し可能に結合される押さえ部材（２０）と、
前記胴体（１０）に回動自在に設けられ、前記押さえ部材（２０）の回転を誘導する回動部（３０）と、を備え、
前記胴体（１０）が、中央の長手方向に形成される定着孔（１２）、定着孔（１２）の両側に形成される支持片（１３）、支持片（１３）に形成される嵌合孔（１４）を備えており、回動部（３０）が、両側にヒンジ片（３１）を備えており、回動部（３０）のヒンジ片（３１）を胴体（１０）の嵌合孔（１４）に嵌合して、回動部（３０）が定着孔（１２）内に回動自在に配置されており、押さえ部材（２０）が、胴体（１０）の押さえ片（１１）に沿って胴体（１０）に嵌合して配置されており、
前記回動部（３０）は、両側に回動誘導片（３２）が形成され、
前記押さえ部材（２０）は、布、織物材、繊維材、不織布、麻のうちいずれか一つからなり、
前記押さえ部材（２０）は、胴体（１０）の押さえ片（１１）に緊張して維持されることを可能にする弾性部材（２１）を備え、
前記回動誘導片（３２）は、凹凸形状になっていることを特徴とする、多用途ヘラ。
【発明の詳細な説明】
【技術分野】
【０００１】
本発明は、多用途ヘラに係り、さらに詳しくは、ヘラの構造を改善して看板のシート及び食卓などの接触する表面に発生するスクラッチを減らすと共に、使用上の便宜性を図ることができる多用途ヘラに関する。
【背景技術】
【０００２】
図４に示すように、先登録された実用新案第２０−０３２５５７７号の「キャップを備えた広告看板のシート貼り付け用ヘラ」は、広告看板の一側面または両側面にシートを貼り付けるために、円筒状の胴体と；一方の側に、前記円筒状の胴体の一側の長手方向に沿って凹設された取付溝に嵌合するように形成された取付部と、他方の側に断面逆三角形に形成された圧縮部と、を有する押さえ部材と；を備えてなるヘラにおいて、前記ヘラは、前記胴体の両端に挿入される挿入部と、前記挿入部の一側に連結され、前記挿入部の外径よりも大きい外径を有する円盤状の係止爪と、を有するキャップと、を備える。
【０００３】
このように、従来のヘラは、広告看板の一側面または両側面にシートを配置した後、胴体を把持したまま前記シートの表面に押さえ部材を用いて圧力をかけて広告看板の表面にシートを貼り付けるが、この過程においてシートまたは広告看板に砂や埃、異物等が付いている場合、前記押さえ部材と共に砂や埃、異物等がシートに押さえつけられてしまい、前記押さえ部材の端部が損傷してこの損傷部分が原因で次のシートの貼り付けに際して困難が生じた。また、サンドペーパーや砥石等を用いて前記押さえ部材の損傷部分を研磨して再利用するが、この場合にも使用上の不便さがあった。
【０００４】
また、かかる問題に鑑みて前記押さえ部材として固いシリコン、ウレタン、鉄板などを用いることにより、その問題を解消することができるが、材質の特性上、前記押さえ部材と共に埃、異物等が押さえつけられてしまいシートの表面に多くのスクラッチが発生するという問題があった。
【先行技術文献】
【特許文献】
【０００５】
【特許文献１】韓国実用新案第２０−０３２５５７７号
【発明の概要】
【発明が解決しようとする課題】
【０００６】
上記問題を解決するための本発明は、胴体の外側面に取り外し可能に結合される押さえ部材を備え、必要に応じて押さえ部材を回動させて前記押さえ片の端部に他の面の押さえ部材が配置されるようにすることにより、広告看板に貼り付けられるシート及び食卓などに発生するスクラッチを最小限に抑えると共に、使用上の便宜性を図ることができる多用途ヘラに関する。
【課題を解決するための手段】
【０００７】
上記目的を達成するための本発明に係る多用途ヘラは、両側に押さえ片を有する胴体と；前記胴体に取り外し可能に結合される押さえ部材と；前記胴体に回動自在に設けられ、前記押さえ部材の回転を誘導する回動部と;を備え、前記回動部は、両側に回動誘導片が形成されたことを特徴とする。
【発明の効果】
【０００８】
したがって、本発明の多用途ヘラは、胴体の外側面に取り外し可能に結合される押さえ部材を備え、必要に応じて押さえ部材を回動させて前記押さえ片の端部に他の面の押さえ部材が配置されるようにすることにより、広告看板に貼り付けられるシート、食卓清掃時、壁紙の張りつけ作業時、インテリア小物取付時などに接触する表面に発生するスクラッチを最小限に抑えると共に、使用上の便宜性を図ることができるという効果がある。
【図面の簡単な説明】
【０００９】
【図１】本発明の多用途ヘラの分解斜視図である。
【図２】本発明の多用途ヘラの結合斜視図である。
【図３】本発明の多用途ヘラの一断面図である。
【図４】従来のキャップを備えた広告看板のシート貼り付け用ヘラを示す斜視図である。
【発明を実施するための形態】
【００１０】
本発明に係る多用途ヘラの特徴に関しては、添付図面に基づいて以下詳述する実施形態によって明らかになるであろう。
【００１１】
一方、実施形態を説明するにあたり、本発明の属するか属さない技術分野において広く使用される公知の構成要素については、詳細な説明は省略するが、これは、不要な説明を省略すると共にこれにより本発明の要旨をさらに明確にするためである。
【００１２】
図１乃至図３に示すように、本発明の多用途ヘラは、両側に押さえ片１１を有する胴体１０と、前記胴体１０に取り外し可能に結合される押さえ部材２０と、前記胴体１０に回動自在に設けられ、前記押さえ部材２０の回転を誘導する回動部３０と、を備えてなる。
【００１３】
前記胴体１０は、両側に突設される押さえ片１１と、中央の長手方向に形成される定着孔１２と、前記定着孔１２の両側に形成される支持片１３と、を有する。
前記押さえ片１１は、好ましくは、定着孔１２を中心として端部側に行くほど幅が狭くなる。
【００１４】
前記支持片１３には、後術する前記回動部３０のヒンジ片３１が回動自在に嵌合される嵌合孔１４が形成される。
【００１５】
前記押さえ部材２０は、布、織物材、繊維材、不織布、麻などで構成できるが、これらに限定されるものでなく、様々な材質を用いることができる。
また、前記押さえ部材２０には、胴体１０に挟まれた状態で緊張を維持する弾性部材２１が設けられてもよい。
【００１６】
さらに、前記押さえ部材２０は、材質の特性上、表面との接触時に発生するスクラッチを減らすことができる。
【００１７】
前記回動部３０は、胴体１０の嵌合孔１４に嵌合されるヒンジ片３１と、両側に形成される回動誘導片３２と、を備えてなる。
【００１８】
前記回動誘導片３２は、外側面にその長手方向に沿って凹凸形状を設けることにより形成される。
【００１９】
以下、上述した本発明に係る多用途ヘラの作用について説明する。まず、回動部３０のヒンジ片３１を前記胴体１０の嵌合孔１４に嵌合すると、前記回動部３０が前記定着孔１２内に回動自在に配置される。引き続いて、前記押さえ部材２０を胴体１０の押さえ片１１に沿って胴体１０に嵌合する。
【００２０】
例えば、広告看板にシートを貼り付けるとき、広告看板にシートを配置した後、本発明のヘラを把持したままシートの表面に、前記押さえ片１１に配置された押さえ部材２０を用いて圧力をかけてシートを貼り付ける。
【００２１】
なお、使用する過程において前記押さえ部材２０が摩耗した場合、前記押さえ部材２０と回動部３０を同時に押さえつけながら前記回動部３０を一方向に回動させると、その方向に沿って前記胴体１０の嵌合孔１４内で回転東部３０のヒンジ片３１が回動すると共に、前記押さえ片１１に他の面の押さえ部材２０が配置されて使用上の便宜性を図ることができる。
【００２２】
以上説明したように、本発明の課題と同一範囲内で様々な設計変更が可能であるが、これは、設計変更により本発明において全く予想できない新しい効果が現れない限り、本発明の権利範囲に属する。
【図１】
0006749949.tif 000002
【図２】
0006749949.tif 000003
【図３】
0006749949.tif 000004
【図４】
0006749949.tif 000005